(57)【要約】【課題】傷つき易い表皮を有する果物等の輸送や展示中における表皮損傷を有効に防止しつつ、比較的大きな外力に対する良好な緩衝作用を具有せしめた複合包装紙材を提供する。【解決手段】傷つき易い表皮を有する果物等の被包装物と接する面に不織布１を有し、該不織布１を両面エンボス紙２又は波付形板紙９でバックアップした構造を有する複合包装紙材であり、上記不織布１は補強紙を介し又は補強紙を介さずに両面エンボス紙２又は波付形板紙９に貼付した基本構造を有する。【選択図】図１
2011016567.tif 000002
【特許請求の範囲】
【請求項１】
被包装物と接する面に不織布を有し、該不織布を両面エンボス紙でバックアップした構造を有することを特徴とする複合包装紙材。
【請求項２】
上記不織布を補強紙を介して両面エンボス紙でバックアップしたことを特徴とする請求項１記載の複合包装紙材。
【請求項３】
上記両面エンボス紙の上記不織布を配した側とは反対側の面に他の補強紙を貼付したことを特徴とする請求項１記載の複合包装紙材。
【請求項４】
被包装物と接する面に不織布を有し、該不織布を波付形板紙でバックアップした構造を有することを特徴とする複合包装紙材。
【請求項５】
上記不織布を補強紙を介して波付形板紙でバックアップしたことを特徴とする請求項４記載の複合包装紙材。
【請求項６】
上記波付形板紙の上記不織布を配した側とは反対側の面に他の補強紙を貼付したことを特徴とする請求項４記載の複合包装紙材。
【発明の詳細な説明】
【技術分野】
【０００１】
本発明は果物等の表皮の損傷を有効に防止しつつ、衝撃に対し良好な緩衝作用を発揮せしめる複合包装紙材に関する。
【背景技術】
【０００２】
従来の波付形板紙の両面に補強紙（ライナー）を貼付した、所謂段ボールで形成した包装箱はライナーで外力を受圧し、波付形板紙で外力を吸収する緩衝構造を有するが、被包装物と接するライナー自身が緩衝性に乏しく、比較的硬質の紙層構造を有するため、サクランボや桃、葡萄等の傷つきやすい表皮を有する果物の輸送や展示中における表皮損傷の防止には有効に機能し難く、耐衝撃性に劣る問題点を有している。
【発明の概要】
【発明が解決しようとする課題】
【０００３】
本発明は上記被包装物、特に上記傷つき易い表皮を有するサクランボや桃、葡萄等の輸送や展示中における表皮損傷を有効に防止しつつ、比較的大きな外力に対する良好な緩衝作用を具有せしめた複合包装紙材を提供するものである。
【課題を解決するための手段】
【０００４】
不織布は既知の通り、繊維が粗に絡み合った紙層構造を有し、該紙層を形成する繊維間に通気可能な無数の空隙を有し、柔触感と柔圧縮弾性を有している。
【０００５】
他方、両面エンボス紙は既知の通り、一方の表面側と他方の表面側に球面形等の多数の独立突起（エンボス）を有し、両面に加わる比較的大きな外力（衝撃）に対し両面のエンボス群が良好な衝撃吸収作用を発揮する。
【０００６】
又波付形板紙は既知の通り、板紙に波形部を並列して付形した構造を有し、段ボールの芯材として用いられており、緩衝材として有用である。
【０００７】
本発明は上記特徴を有する不織布と同両面エンボス紙（又は波付形板紙）を組み合わせ、所期の被包装物保護目的が有効に達成できる複合包装紙材を提供するものである。
【０００８】
即ち、不織布の柔触感作用と柔圧縮弾性作用と、両面エンボス紙（又は波付形板紙）の良好な衝撃吸収作用とが協働して、被包装物の表面に柔らかいタッチで接触して表面損傷を有効に防止しつつ、比較的強い外力に対しては優れた衝撃吸収効果を発揮する複合包装紙材を提供するものである。
【０００９】
＜不織布を両面エンボス紙でバックアップした複合包装紙材＞
該複合包装紙材は被包装物と接する面に不織布を有し、該不織布を両面エンボス紙でバックアップし、両者が協働して上記した特有の緩衝効果を発揮する構造を有する。
【００１０】
上記不織布は両面エンボス紙の片面に直接貼り合わせる。即ち、不織布を両面エンボス紙の一方の面に突出している多数のエンボスの頂部に多点付けする。
【００１１】
上記多点付けによって、不織布と両面エンボス紙間に各エンボス間において連通する網目状のエンボス間空隙を形成する。
【００１２】
上記エンボス間空隙内の空気は不織布の繊維間空隙を通して通気可能である。
【００１３】
又は上記不織布は補強紙を介して両面エンボス紙の片面に貼り合わせる。即ち、不織布の一面に貼り合わせた補強紙を両面エンボス紙の一方の面に突出している多数のエンボスの頂部に多点付けする。
【００１４】
上記多点付けによって、補強紙と両面エンボス紙間に各エンボス間において連通する網目状のエンボス間空隙を形成する。
【００１５】
上記エンボス間空隙は上記補強紙によって実質的に閉鎖され、エンボス間空隙内の空気により補強紙と不織布を空圧支持する。
【００１６】
上記補強紙には多数の通気孔を穿孔することができる。これによって、エンボス間空隙内の空気は通気孔と不織布の繊維間空隙を通して通気可能となる。
【００１７】
上記両面エンボス紙の上記不織布を配した側とは反対側の面に他の補強紙を貼付し、外力に対し補強紙で面圧を受け、エンボス群で多点受圧する構造にすることができる。
【００１８】
＜不織布を波付形板紙でバックアップした複合包装紙材＞
該複合包装紙材は被包装物と接する面に不織布を有し、該不織布を波付形板紙でバックアップし、両者が協働して上記した特有の緩衝効果を発揮する構造を有する。
【００１９】
上記不織布は波付形板紙の片面に直接貼り合わせる。即ち、不織布を波付形板紙の一方の面に並列して突出している多数の波形部の稜線に多線付けする。
【００２０】
上記多線付けによって、不織布と波付形板紙間に波形部間空隙を形成する。不織布は上記した繊維間空隙を通し通気性を有し、波形部間空隙内の空気は不織布の繊維間空隙を通して通気可能である。
【００２１】
又は上記不織布は補強紙を介して波付形板紙の片面に貼り合わせる。即ち、不織布の一面に貼り合わせた補強紙を波付形板紙の一方の面に並列して突出している多数の波形部の頂部に多線付けする。
【００２２】
上記多線付けによって、補強紙と波付形板紙間に波形部間空隙を形成する。該波形部間空隙は上記補強紙によって実質的に閉鎖され、波形部間空隙内の空気により補強紙と不織布を空圧支持する。
【００２３】
上記補強紙には多数の通気孔を穿孔することができる。これによって、波形部間空隙内の空気は通気孔と不織布の繊維間空隙を通して通気可能となる。
【００２４】
上記波付形板紙の上記不織布を配した側とは反対側の面に他の補強紙を貼付し、外力に対し該補強紙で面圧を受け、波形部で多線受圧する構造にすることができる。
【発明の効果】
【００２５】
本発明は不織布と両面エンボス紙（又は波付形板紙）とが協働して、被包装物の表面に柔らかいタッチで接触して表面損傷を有効に防止しつつ、比較的強い外力に対しては優れた衝撃吸収効果を発揮することができる。例えば、傷付き易い表皮を有し鮮度が要求される果物等の包装紙材として極めて有効である。
【図面の簡単な説明】
【００２６】
【図１】図１乃至図８は不織布を両面エンボス紙（又は波付形板紙）でバックアップした構造の複合包装紙材の断面図であり、図１Ａは不織布を両面エンボス紙（又は波付形板紙）の一方の面に直接貼り付け不織布を両面エンボス紙（又は波付形板紙）でバックアップした構造の複合包装紙材の断面図、図１Ｂは不織布を両面エンボス紙でバックアップした構造の複合包装紙材の拡大断面図、図１Ｃは不織布を波付形板紙でバックアップした構造の複合包装紙材の拡大断面図。
【図２】図１の複合包装紙材における両面エンボス紙（又は波付形板紙）の他方の面に補強紙を貼り付けた複合包装紙材の断面図。
【図３】両面エンボス紙（又は波付形板紙）のエンボス加工（又は波付形加工）と同時に不織布に同エンボス加工（又は波付形加工）を施して複合エンボス紙（又は複合波付形板紙）を形成し、該複合エンボス紙（又は波付形板紙）の不織布とは反対側の面に補強紙を貼付した構造の複合包装紙材の断面図。
【図４】Ａは不織布を補強紙を介して両面エンボス紙（又は波付形板紙）の片面に直接貼り付け不織布を両面エンボス紙（又は波付形板紙）で間接的にバックアップした構造の複合包装紙材の断面図、Ｂは同補強紙に通気孔を設けた例を示す複合包装紙材の断面図。
【図５】不織布を補強紙を介して両面エンボス紙（又は波付形板紙）の一方の面に貼付し、更に両面エンボス紙（又は波付形板紙）の他方の面に他の補強紙を貼付し、不織布を両面エンボス紙（又は波付形板紙）でバックアップした構造の複合包装紙材の断面図。
【図６】図６乃至図８は不織布を複合包装紙材の両面に貼付し不織布を両面エンボス紙（又は波付形板紙）でバックアップした構造の同包装紙材の断面図であり、図６は不織布を両面エンボス紙（又は波付形板紙）の一方の面に直接貼り付けると共に、両面エンボス紙（又は波付形板紙）の他方の面に補強紙を貼り付けた上記複合包装紙材の断面図。
【図７】両面エンボス紙（又は波付形板紙）のエンボス加工（又は波付形加工）と同時に不織布に同エンボス加工（又は波付形加工）を施して複合エンボス紙（又は複合波付形板紙）を形成し、該複合エンボス紙（又は複合波付形板紙）の不織布とは反対側の面に補強紙を貼付し、該補強紙の表面に他の不織布を貼付した構造の複合包装紙材の断面図。
【図８】不織布を補強紙を介して両面エンボス紙（又は波付形板紙）の片面に直接貼り付けると共に、他の不織布を他の補強紙を介して両面エンボス紙（又は波付形板紙）の他の片面に貼付した構造の複合包装紙材の断面図。
【図９】Ａは両面エンボス紙の平面図、Ｂは同断面図。
【図１０】波付形板紙を断面して示す斜視図。
【図１１】Ａはエンボス不織布の平面図、Ｂは同断面図。
【図１２】図１乃至図８に例示する複合包装紙材を包装箱内に敷設して成る断面図。
【図１３】図６乃至図８に例示する複合包装紙材で形成した、包装箱内に設置される間仕切りの断面図。
【発明を実施するための形態】
【００２７】
以下、本発明を実施するための形態を図１乃至図１３に基づき説明する。尚、図１Ａ、図２乃至図８は不織布１を両面エンボス紙２でバックアップした複合包装紙材と、不織布１を波付形板紙９でバックアップした複合包装紙材とに共用する。
【００２８】
不織布１は繊維が粗に絡み合った紙層構造を有し、該紙層を形成する繊維間に通気可能な無数の空隙５を有し、柔触感と柔圧縮弾性を有している。
【００２９】
又図９Ａ、Ｂに示すように、両面エンボス紙２は一方の表面側と他方の表面側に球面形等の多数の独立突起（エンボス３）を有し、両面に加わる比較的大きな外力（衝撃）に対し両面のエンボス群が良好な衝撃吸収作用を発揮する。
【００３０】
又図１０に示すように、波付形板紙９は板紙に波形部１０を並列して付形した構造を有し、段ボールの芯材として用いられており、緩衝材として有用である。
【００３１】
＜不織布を両面エンボス紙でバックアップした複合包装紙材＞
図１乃至図８に示すように、該複合包装紙材は被包装物と接する面に不織布１を有し、該不織布１を両面エンボス紙２で直接的又は間接的にバックアップし、両者が協働して特有の緩衝効果を発揮する構造を有する。
【００３２】
図１Ａ，Ｂ、図２は不織布１を両面エンボス紙２の一方の面に突出している多数のエンボス３の頂部に直接的に多点付けして、不織布１を両面エンボス紙２でバックアップし、該多点付けによって、不織布１と両面エンボス紙２間に各エンボス３間において連通する網目状のエンボス間空隙４を形成する。
【００３３】
不織布１は繊維間空隙５を通しての通気性を有し、該不織布１に加わる適度な圧力によりエンボス間空隙４内の空気は不織布１の繊維間空隙５を通して通気可能である。
【００３４】
又は図４Ａ，Ｂ、図５に示すように、上記不織布１は補強紙６を介して両面エンボス紙２の片面に間接的に貼り合わせる。即ち、不織布１の一面に貼り合わせた補強紙６を両面エンボス紙２の一方の面に突出している多数のエンボス３の頂部に多点付けする。
【００３５】
上記多点付けによって、補強紙６と両面エンボス紙２間に各エンボス３間において連通する網目状のエンボス間空隙４を形成する。該エンボス間空隙４は上記補強紙６によって実質的に閉鎖され、エンボス間空隙４内の空気により補強紙６と不織布１を空圧支持する。
【００３６】
又は図４Ｂに示すように、上記補強紙６には多数の通気孔７を穿孔して、エンボス間空隙４内の空気を通気孔７と不織布１の繊維間空隙５を通して通気可能とする。
【００３７】
又図１は不織布１を両面エンボス紙２でバックアップし、エンボス３群で多点付けした場合を示すが、図３、図７は両面エンボス紙２のエンボス加工と同時に不織布１に同エンボス加工を施して複合エンボス紙を形成した例を示す。
【００３８】
即ち、両面エンボス紙２の用紙と不織布１の用紙とを重ね合わせ、両者に同時にエンボス３加工を施して複合エンボス紙を形成した例を示す。この複合エンボス紙においては、両面エンボス紙２の全面で不織布１を面支持した構造となる。
【００３９】
図２、図３、図５乃至図８に示すように、上記両面エンボス紙２の上記不織布１を配した側とは反対側の面に他の補強紙８を貼付し、外力に対し補強紙８で面圧を受け、エンボス３群で多点受圧する構造にすることができる。
【００４０】
次に図６乃至図８は両面に不織布１を貼付した例を示す。図６は図２において例示した不織布１を両面エンボス紙２の一方の面に直接貼り付けると共に、両面エンボス紙２の他方の面に補強紙８を貼り付け、該補強紙８の表面に他の不織布１′を貼付した上記複合包装紙材の断面図である。
【００４１】
図７は図３において例示した両面エンボス紙２のエンボス３加工と同時に不織布１に同エンボス３加工を施して複合エンボス紙を形成し、該複合エンボス紙の不織布１とは反対側の面に補強紙８を貼付し、該補強紙８の表面に他の不織布１′を貼付した構造の複合包装紙材の断面図である。
【００４２】
図８は図５において例示した不織布１を補強紙６を介して両面エンボス紙２の片面に直接貼り付けると共に、他の不織布１′を他の補強紙８を介して両面エンボス紙２の他の片面に貼付した構造の複合包装紙材の断面図である。
【００４３】
＜不織布を波付形板紙でバックアップした複合包装紙材＞
【００４４】
図１乃至図８に示すように、該複合包装紙材は被包装物と接する面に不織布１を有し、該不織布１を波付形板紙９でバックアップし、両者が協働して特有の緩衝効果を発揮する構造を有する。
【００４５】
図１Ａ，Ｃ、図２等に示すように、上記不織布１は波付形板紙９の片面に直接貼り合わせる。即ち、不織布１を波付形板紙９の一方の面に並列して突出している多数の波形部１０の稜線に多線付けする。
【００４６】
上記多線付けによって、不織布１と波付形板紙９間に波形部間空隙１１を形成する。不織布１は上記した繊維間空隙５を通し通気性を有し、波形部間空隙１１内の空気は不織布１の繊維間空隙５を通して通気可能である。
【００４７】
又は図４Ａ，Ｂ、図５に示すように、上記不織布１は補強紙６を介して波付形板紙９の片面に貼り合わせる。即ち、不織布１の一面に貼り合わせた補強紙６を波付形板紙９の一方の面に並列して突出している多数の波形部１０の頂部に多線付けする。
【００４８】
上記多線付けによって、補強紙６と波付形板紙９間に波形部間空隙１１を形成する。該波形部間空隙１１は上記補強紙６によって実質的に閉鎖され、波形部間空隙１１内の空気により補強紙６と不織布１を空圧支持する。
【００４９】
又は図４Ｂに示すように、上記補強紙６に多数の通気孔７を穿孔し、波形部間空隙１１内の空気を通気孔７と不織布１の繊維間空隙５を通して通気可能とする。
【００５０】
図２、図３、図５に示すように、上記波付形板紙９の上記不織布１を配した側とは反対側の面に他の補強紙８を貼付し、外力に対し該補強紙８で面圧を受け、波形部１０で多線受圧する構造にすることができる。
【００５１】
又図１は不織布１を波付形板紙９でバックアップし、波形部１０群で多線付けした場合を示すが、図３、図７は波付形板紙９の波付形加工と同時に不織布１に同波付形加工を施して複合波付形板紙を形成した例を示す。
【００５２】
即ち、波付形板紙の用紙と不織布１の用紙とを重ね合わせ、両者に同時に波付形加工を施して複合波付形板紙を形成した例を示す。この複合波付形板紙においては、波付形板紙９の全面で不織布１を面支持した構造となる。
【００５３】
図２、図３、図５乃至図８に示すように、上記波付形板紙９の上記不織布１を配した側とは反対側の面に他の補強紙８を貼付し、外力に対し補強紙８で面圧を受け、他方の面の波形部１０群で多線受圧する構造にすることができる。
【００５４】
次に図６乃至図８は両面に不織布１を貼付した例を示す。図６は図２において説明した不織布１を波付形板紙９の一方の面に直接貼り付けると共に、波付形板紙９の他方の面に補強紙８を貼り付け、該補強紙８の表面に他の不織布１′を貼付した上記複合包装紙材の断面図である。
【００５５】
図７は図３において説明した波付形板紙９の波付形加工と同時に不織布１に同波付形加工を施して複合波付形板紙を形成し、該複合波付形板紙の不織布１とは反対側の面に補強紙８を貼付し、該補強紙８の表面に他の不織布１′を貼付した構造の複合包装紙材の断面図である。
【００５６】
図８は図５において説明した不織布１を補強紙６を介して波付形板紙９の片面に直接貼り付けると共に、他の不織布１′を他の補強紙８を介して波付形板紙９の他の片面に貼付した構造の複合包装紙材の断面図である。
【００５７】
図１、図２、図４乃至図６、図８において両面エンボス紙２（又は波付形板紙９）は通常の板紙に両面エンボス加工（又は波付形加工）を施した場合を示したが、該両面エンボス紙２（又は波付形板紙９）の紙材として不織布１２を用い、図１１Ａ，Ｂに示すように、該不織布１２に両面エンボス加工（又は波付形加工）を施した両面エンボス不織布（又は波付形不織布）１２を用いることができる。
【００５８】
この場合、前記フラットな不織布１を両面エンボス不織布（又は波付形不織布）１２でバックアップした構造となる。又は図３、図７に示すように、前記両面エンボス不織布２を両面エンボス不織布１２で面支持した構造となる。又はこの不織布１２を不織布１に代えて用いることができる。
【００５９】
以上述べた複合包装紙材は図１２に示すように、包装箱１３の内面に内装する。即ち、図１乃至図５に示す片面に不織布１を有する複合包装紙材は、この包装箱１３の内装用として適している。
【００６０】
他方、図６乃至図８に示す両面に不織布１を有する複合包装紙材は、包装箱１３内の図１３に示す間仕切り１４用紙材として有用である。
【００６１】
本発明を構成する不織布１，１′、両面エンボス紙２、波付形板紙９、補強紙６，８は、何れもパルプ（故紙パルプを含む）製である。
【符号の説明】
【００６２】
１，１′…不織布、２…両面エンボス紙、３…エンボス、４…エンボス間空隙、５…繊維間空隙、６，８…補強紙、７…通気孔、９…波付形板紙、１０…波形部、１１…波形部間空隙、１２…両面エンボス不織布又は波付形不織布、１３…包装箱、１４…間仕切り。
【図１】
2011016567.tif 000003
【図２】
2011016567.tif 000004
【図３】
2011016567.tif 000005
【図４】
2011016567.tif 000006
【図５】
2011016567.tif 000007
【図６】
2011016567.tif 000008
【図７】
2011016567.tif 000009
【図８】
2011016567.tif 000010
【図９】
2011016567.tif 000011
【図１０】
2011016567.tif 000012
【図１１】
2011016567.tif 000013
【図１２】
2011016567.tif 000014
【図１３】
2011016567.tif 000015